(57)【要約】【課題】  構成部材の腐食により回動する部位が固着されず、所定の機能を発揮させるチェーンを提供する。【解決手段】  チェーンを構成する内方リンク１の内方リンクプレート３と、外方リンク２の外方リンクプレート５とが対面する部位に、樹脂製の固着防止部材１０を介在させたので、内方リンクプレート３及び外方リンクプレート５が腐食した場合でも、内方リンクプレート３と外方リンクプレート５とが固着することなく円滑に回動して、チェーンとして所定の機能を果すことができる。【選択図】        図２
2005273748.tif 000002
【特許請求の範囲】
【請求項１】
一対の内方リンクプレートの両端にそれぞれブッシュを介在させてなる複数の内方リンクと、隣接する内方リンクを連結する一対の外方リンクプレートからなる外方リンクとを交互に配列したチェーンにおいて、
前記内方リンクプレートと前記外方リンクプレートとが対面する部位に、前記内方リンクプレートと前記外方リンクプレートとの腐食による固着を防ぐ固着防止部材を介在させたことを特徴とするチェーン。
【請求項２】
前記内方リンクプレート及び前記外方リンクプレートは高張力鋼材で構成されると共に、前記固着防止部材は樹脂材で構成されることを特徴とする請求項１に記載のチェーン。
【発明の詳細な説明】
【技術分野】
【０００１】
本発明は、水門を開閉する扉体の上部に接続されるチェーンに関するものである。
【背景技術】
【０００２】
河川に通じる水路には水門が設置され、扉体の昇降によって水門を開閉するようになっている。この扉体の上部にはその両端にチェーンが接続されており、このチェーンはスプロケットに巻回されて、スプロケットの回転により扉体を昇降している。
【０００３】
ここで、従来のチェーンを図３に基いて説明する。
従来のチェーンは、内方リンク１と外方リンク２とが上下方向に交互に複数配列されると共に、上下に複数配列されたこれら内方リンク１及び外方リンク２が左右２列に配列されて構成されている。
内方リンク１は、一対の内方リンクプレート３、３の上下端部にそれぞれブッシュ４が圧入されて形成されている。
外方リンク２は、隣接する内方リンク１、１の近接する各ブッシュ４、４が一対の外方リンクプレート５、５により連結されて形成されている。
そして、内方リンク１の各内方リンクプレート３、３及びブッシュ４と、外方リンク２の各外方リンクプレート５、５とが連結ピン６により連結されて、内方リンク１と外方リンク２とが互いに連結ピン２を中心に回動自在とされている。
【０００４】
そこで、従来のチェーンでは、内方リンクプレート３と外方リンクプレート５とが対面する部位２０に、内方リンクプレート３と外方リンクプレート５とが連結ピン６を中心に互いに回動するための隙間が設けられているが、内方リンクプレート３及び外方リンクプレート５が腐食した場合その隙間が埋められ、内方リンクプレート３と外方リンクプレート５とが互いに固着して回動できなくなり、チェーンとしての機能を果さない問題があった。そのために、チェーンを構成する部材は、耐食性のあるステンレス材で構成されるのが一般的であるが、大型の水門用開閉機の場合、ステンレス材では強度不足になるため、チェーンが大型化して、コスト上及び機能上の問題が発生する虞があり、材料に高張力鋼を使用する必要性があった。
【０００５】
また、チェーンを構成する材料の腐食防止のための従来技術として特許文献１には、嵌合孔又はピン若しくはブッシュの嵌合部分に、円周方向に延びる溝を形成し、該溝および嵌合孔とピン若しくはブッシュとの隙間に硬化性樹脂を充填して構成されたコンベアチェーンが開示されている。
【特許文献１】実公昭６２−２５４４５号公報
【発明の開示】
【発明が解決しようとする課題】
【０００６】
しかしながら、チェーンの材料に高張力鋼を使用すると、高張力鋼は耐食性に欠しいために、上述したように、内方リンクの内方リンクプレートと外方リンクの外方リンクプレートとの隙間が腐食により埋まってしまい、内方リンクの内方リンクプレートと外方リンクの外方リンクプレートとが固着して円滑に回動できない虞があった。
【０００７】
また、上述した特許文献１の発明は、異種金属で構成されるピン又はブッシュとリングプレートの嵌合孔との間に硬化性樹脂を充填して、ピン又はブッシュとリングプレートの嵌合孔との接触を避け、異種金属による接触腐食を防ぐと共に、ピンの廻り止め及び抜け止めを可能とするものであるが、この特許文献１の発明においても、普通鋼からなる内方のリンクプレートと外方のリンクプレートとの間の隙間が、各部材の腐食が進行することにより埋められ、内方のリンクプレートと外方のリンクプレートとが固着してしまい、円滑に回動できない虞があり、まだ課題を残している。
【０００８】
本発明は、かかる点に鑑みてなされたものであり、構成部材の腐食により回動する部位が固着されず、所定の機能を発揮させるチェーンを提供することを目的とする。
【課題を解決するための手段】
【０００９】
本発明は、上記課題を解決するための手段として、請求項１に記載した発明は、一対の内方リンクプレートの両端にそれぞれブッシュを介在させてなる複数の内方リンクと、隣接する内方リンクを連結する一対の外方リンクプレートからなる外方リンクとを交互に配列したチェーンにおいて、前記内方リンクプレートと前記外方リンクプレートとが対面する部位に、前記内方リンクプレートと前記外方リンクプレートとの腐食による固着を防ぐ固着防止部材を介在させたことを特徴とするものである。
このように構成することにより、内方リンクプレート及び外方リンクプレートが腐食した場合でも、内方リンクプレートと外方リンクプレートとが対面する部位に固着防止部材が介在されているので、内方リンクプレートと外方リンクプレートとの腐食による固着が防止される。
【００１０】
請求項２に記載した発明は、請求項１に記載した発明において、前記内方リンクプレート及び前記外方リンクプレートは高張力鋼材で構成されると共に、前記固着防止部材は樹脂材で構成されることを特徴とするものである。
このように構成することにより、内方リンクプレート及び外方リンクプレートを高張力鋼材で構成した場合でも、樹脂材により内方リンクプレートと外方リンクプレートとを円滑に回動させる。
【発明の効果】
【００１１】
本発明のチェーンによれば、内方リンクプレートと外方リンクプレートとが対面する部位に、内方リンクプレートと外方リンクプレートとの腐食による固着を防止する固着防止部材を介在させたので、内方リンクプレート及び外方リンクプレートが腐食した場合でも内方リンクプレートと外方リンクプレートとが固着することなく、内方リンクと外方リンクとが円滑に回動して所定のチューン機能を果すことができる。
【発明を実施するための最良の形態】
【００１２】
以下、本発明を実施するための最良の形態を図１及び図２に基いて詳細に説明する。従来例と同一部材及び相当する部材は、同一の符号を使用して説明する。
本発明の実施の形態に係るチェーンは、図１に示すように、内方リンク１と外方リンク２とが上下方向に交互に複数配列されると共に、これら上下に配列された内方リンク１及び外方リンク２が左右２列に配列されて構成されている。
【００１３】
内方リンク１は、一対の内方リンクプレート３、３の上下端部に形成された各挿通孔３ａ、３ａにブッシュ４の段部４ａ、４ａがそれぞれ圧入されて構成されている。
外方リンク２は、隣接する内方リンク１、１の近接する各ブッシュ４，４が一対の外方リンクプレート５、５によって連結されて構成されている。
そして、内方リンク１の各内方リンクプレート３、３及びブッシュ４と、外方リンク２の各外方リンクプレート５、５とが連結ピン６を介して連結され、内方リンク１と外方リンク２とが互いに連結ピン６を中心に回動自在とされている。
以上説明した内方リンクプレート３、ブッシュ４、外方リンクプレート５及び連結ピン６は、高張力鋼材で構成されている。
【００１４】
また、図２に示すように、内方リンクプレート３と外方リンクプレート５とが対面する部位、すなわち内方リンクプレート３と外方リンクプレート５とが連結ピン６により連結されている部位における内方リンクプレート３と外方リンクプレート５との間の隙間には、ポリプロピレン（ＰＰ）材またはナイロン材からなる樹脂製の固着防止部材１０が介在され、この固着防止部材１０の挿通孔１０ａにブッシュ４の段部４ａが挿通されている。
固着防止部材１０は、ブッシュ４の段部４ａが挿通する挿通孔１０ａを有する薄厚の略円盤状に形成されており、外方リンクプレート５に接触する面が、内方リンクプレート３に接触する面より大径に形成されている。
なお、固着防止部材１０は、ブッシュ４の段部４ａが挿通する挿通孔１０ａを有していれば、その外形は特に限定されず、内方リンクプレート３と外方リンクプレート５とが対面している範囲に介在できる形状であれば良い。
【００１５】
このように内方リンクプレート３と外方リンクプレート５とが対面する部位に、固着防止部材１０を介在させたので、内方リンクプレート３及び外方リンクプレート５が腐食した場合でも、内方リンクプレート３表面上の錆と外方リンクプレート５表面上の錆とが重合することなく、内方リンク１と外方リンク２とは固着防止部材１０を介して円滑に回動するようになる。
【００１６】
以上説明したように、本発明の実施の形態に係るチェーンによれば、内方リンク１の内方リンクプレート３と、外方リンク２の外方リンクプレート５とが対面する部位に樹脂製の固着防止部材１０を介在させたので、大型の水門用開閉機など、チェーンの材質が強度上ステンレス材を使用できず高張力鋼が使用される場合、内方リンクプレート３及び外方リンクプレート５が腐食しても、内方リンクプレート３と外方リンクプレート５とが固着することなく、内方リンク１と外方リンク２とは互いに円滑に回動して、チェーンとして所要の機能を果すことができる。
【００１７】
なお、本発明の実施の形態では、固着防止部材１０を樹脂製からなる薄厚の略円盤状に形成する形態を説明したが、固着防止部材１０をステンレス材などの金属製として、内方リンクプレート３及び外方リンクプレート５が腐食した場合でも、内方リンクプレート３表面上の錆と外方リンクプレート５表面上の錆とが重合しない程度の距離で離間させる長さを有する薄壁の円筒状に形成してもよい。
【図面の簡単な説明】
【００１８】
【図１】図１は、本発明の実施の形態に係るチェーンの一部分を示し、（ａ）は側面図であり、（ｂ）は平面図である。
【図２】図２は、図１のＡ部を拡大して示す図である。
【図３】図３は、従来のチェーンの一部分を示し、（ａ）は側面図であり、（ｂ）は平面図である。
【符号の説明】
【００１９】
１          内方リンク
２          外方リンク
３          内方リンクプレート
４          ブッシュ
５          外方リンクプレート
６          連結ピン
１０        固着防止部材
【図１】
2005273748.tif 000003
【図２】
2005273748.tif 000004
【図３】
2005273748.tif 000005